(57)【要約】【課題】近年ＩＣカ−ドやＩＣタグ等の普及によって、複数枚のＩＣカ−ドやＩＣタグ等、その他のカ−ド類（磁気カ−ドやプラスチックカ−ド等）、硬貨等やその他の物品等を同一収納具内に収納して所持することが想定される。この場合、収納具内に収納されているＩＣカ−ドやＩＣタグ等と読み取り機の間でやりとりさせようとすると、様々な外的要因（複数のＩＣカ−ドやＩＣタグ等、及び硬貨や金属製物質などの導電性物質等が読み込ませたいＩＣカ−ドやＩＣタグ等の近くに存在すること）により不具合が生じる。【解決手段】本発明では読み取り機とやりとりしたいＩＣカ−ドやＩＣタグ等以外の物品の表裏両面を電波を遮蔽することが可能な物質（遮蔽板）で覆う。これにより読み取り機とやりとりしたいＩＣカ−ドやＩＣタグ等がそれ以外の物品の影響により生じる様々不具合を防ぐことができる仕組みと、この仕組みを活用した収納ケ−スに関する物である。【選択図】図１
2006018785.tif 000002
【特許請求の範囲】
【請求項１】
非接触で通信が可能なＩＣカ−ドやＩＣタグ等と読み取り機がやりとりをする際に、近くに存在する他の物品の影響を受け不具合を生じさせないように、他の物品の表裏両面を電波を遮蔽することが可能な物質を用いて覆う仕組み。
【請求項２】
請求項１のうち少なくとも２つ以上のＩＣカ−ドやＩＣタグ等が近くに存在する場合、他方の（読み取り機とやりとりさせない）ＩＣカ−ドやＩＣタグ等に導電性の物質を隣接させ起動を阻害することにより、正常に読み取り機とのやりとりを行う仕組み。
【請求項３】
請求項１か請求項２または両方の仕組みを用いた物品の収納ケ−ス
【請求項４】
遮蔽板として、フェライトと金属板（アルミ箔等）を用いて、０．３ｍｍ以下の薄型化を可能とした物
【発明の詳細な説明】
【技術分野】
【０００１】  本発明は、複数枚のＩＣカ−ドやＩＣタグ等、その他のカ−ド類（磁気カ−ドやプラスチックカ−ド等）、硬貨等やその他の物品等を同一収納具内に収納して所持する場合に、収納具内に収納されている利用者が読み取り機に読み込ませたいＩＣカ−ドやＩＣタグ等を様々な外的要因（複数のＩＣカ−ドやＩＣタグ等、及び硬貨や金属製物質などの導電性物質等が読み込ませたいＩＣカ−ドやＩＣタグ等の近くに存在すること）による不具合を生じさせず、正確に読み取り機とのやりとりができる仕組み及び、複数枚のＩＣカ−ドやＩＣタグ等、その他のカ−ド類（磁気カ−ドやプラスチックカ−ド等）、硬貨等やその他の物品等を収納することができる収納ケ−スに関するものである。
【背景技術】
【０００２】  現代社会において、個人が複数種、複数枚のカ−ドを所持することは珍しくない。例えば、銀行系のカ−ド（ＡＴＭカ−ド等）やクレジットカ−ド、テレフォンカ−ド（磁気方式やＩＣカ−ド形式等）、各種店舗等でのポイントカ−ドや会員カ−ド、交通系のカ−ド、ギフトカ−ドなどが挙げられる。これらのカ−ドの形式は多種多様である。このため個人が様々な種類又は方式のカ−ドを複数枚所持している場合が多い。またこれらのカ−ドは財布やパスケ−スなどの収納具にまとめて収納して所持される場合が多い。【０００３】  近年、従来の磁気カ−ド等の他に、新たにＩＣカ−ドが普及してきている。これらのカ−ドは内部にＩＣチップが装着され、このＩＣチップにデ−タを書き込んだり、読みとったりすることができる。具体例として交通系では「Ｓｕｉｋａ」「ＩＣＯＣＡ」「ＰｉＴａＰａ」等、電子マネ−の「Ｅｄｙ」等やクレジットカ−ドなどがある。【０００４】  このＩＣカ−ドの中には、カ−ドとＩＣチップ内のデ−タを読みとる装置（以下「読み取り機」）のやりとりを非接触によって実現する物がある。例えば、交通系のＩＣカ−ドなどでは、読み取り機（この場合は改札機等に設置されている）にカ−ドを入れたケ−スを「タッチ」させることにより読み取り機とカ−ド間のやりとりを行う。この技術により利用者がパスを出す必要がないため便利でかつ、スム−ズな往来を可能にしている。【０００５】  このようなＩＣカ−ドは近年急速に普及している。しかしこのＩＣカ−ド等は読み取り機とのやりとりを行う際に様々な外的要因によって不具合を生じる場合がある。先行技術ではこの不具合を防ぐ仕組みやケ−スが提案されている（特許文献１〜３参照）。これらの技術は皆一様に、利用者が読みとらせたいＩＣカ−ドやＩＣタグ等（以下「対象のＩＣカ−ドやＩＣタグ等」）とその他の外的因子との間に電波をシ−ルドする層を設けて、対象のＩＣカ−ドを外的要因の影響を防ぎ、読み取り機のやりとりを正常に行うことを目的とすものである。なお先行技術においては外的因子として、導電性物質（硬貨などの金属製の物質等）や磁気カ−ド、２枚目以降のＩＣカ−ド等が対象のＩＣカ−ドやＩＣタグ等の近くに存在することが挙げられている。【０００６】
【特許文献１】        特開２００３−１２３０３７
【特許文献２】        特開２００３−２１０２３０
【特許文献３】        特開２００３−２５６７８９
【発明の開示】
【発明が解決しようとする課題】
【０００７】  例えば、対象のＩＣカ−ドやＩＣタグ等と導電性物質（硬貨など金属製の物質や磁性体等）と隣接して存在する場合、対象のＩＣカ−ドやＩＣタグ等は動力源を確保できずに起動せず、読み取り機が認識することができなくなる。また交通系ＩＣカ−ドの場合には、読み取り機が複数枚のＩＣカ−ドを読みとるとエラ−が発生するものがある。【０００８】  先に挙げた先行技術の中で、複数枚のＩＣカ−ドの存在による不具合を解消するものについては、対象のＩＣカ−ドやＩＣタグ等と外的因子（この場合は読みとらせないその他のＩＣカ−ドやＩＣタグ等）との間に電波をシ−ルドする層を設けるという原理に基づくものであった。しかしこの場合、読み取り機の電波到達範囲や、電波の回折の影響などによって不具合を生じる場合がある。【０００９】  本発明は、対象のＩＣカ−ドやＩＣタグ等と読み取り機との間の利用に関するものであり、同一ケ−ス内に複数枚のＩＣカ−ドや、その他のＩＣカ−ドやＩＣタグ等と読み取り機とのやりとりを妨げる物（例えば導電性物質である硬貨などの金属や、磁気カ−ドなどの磁性体など、以下「導体」）が存在する場合でも、対象のＩＣカ−ドやＩＣタグ等を不具合が生じることなく正常に利用することを可能とする仕組み及びこの仕組みを応用したＩＣカ−ド及びその他の物品の収納ケ−ス（以下「収納ケ−ス」）に関する発明である。
【課題を解決するための手段】
【００１０】  収納ケ−スはＩＣカ−ドやＩＣタグ等、その他のカ−ドや硬貨などを収納することが可能な収納部を有している。この収納部の背面には読み取り機からの電波を遮蔽することが可能な物（以下「遮蔽板」）が配置されている。ＩＣカ−ドやＩＣタグ等が読み取り機とのやりとりを行う際には対象のＩＣカ−ドやＩＣタグ等が収納されている収納部の表面を外側に向げて折りたたむことにより、対象のＩＣカ−ドやＩＣタグ等が収納された収納部以外の収納部の表裏両面が遮蔽板に覆われる形となる。本発明はこのように対象のＩＣカ−ドやＩＣタグ等以外のＩＣカ−ドやＩＣタグ等、導体、その他の物品等の表裏両面を遮蔽板で覆う仕組みと、その仕組みを有する収納ケ−スを対象とする。従って収納ケ−スはこの仕組みを有するものであればよい。
【発明の効果】
【００１１】  本発明による仕組み又は仕組みを応用した収納ケ−スを用いことによって、同一収納具に様々な物品（複数枚のＩＣカ−ドやＩＣタグ等、その他のカ−ド類（磁気カ−ドやプラスチックカ−ド等）、硬貨等やその他の物品等）を収納したまま、ＩＣカ−ドやＩＣタグ等をエラ−等の不具合を生じさせることなく、読み取り機にかざして使用することができる。
【発明を実施するための最良の形態】
【００１２】  実施例として２箇所のカ−ド収納部を有した形を例（以下「実施例１」）にとって説明する。図１、図２、図３、図４、図５（Ａ）、図５（Ｂ）は実施例１の形状を示した図である。図１、図２は二つ折りケ−スを斜視した図、図３は二つ折りのケ−スを展開した外側面の図、図４は図３と同様の内側面の図、図５（Ａ）は二つに折りたたんだ状態の表面の図、図５（Ｂ）は図５（Ａ）と同様の裏側面の図である。ケ−ス本体１は例えば布、皮や合成皮革、合成樹脂等で構成されている。二つ折りを展開した左右はそれぞれ収納部２及び３を有している。収納部２の片面４を表面とすると、この表面４には収納部２の中を見ることを可能にする透明なシ−ト状の物６を配置しても良い。収納部２の裏面１０には遮蔽板が配置されている。同様に収納部３についても表面５は透明なシ−ト状の物７を配置しても良い。また裏面１１には遮蔽板が配置されている。【００１３】  図６、図７は遮蔽板を示す。遮蔽板１４はフェライト等の電波吸収性を有する物質またはその他の物質で構成されている。この遮蔽板は読み取り機とＩＣカ−ドやＩＣタグ等とのやりとりを不能にする程度まで電波を遮蔽できる大きさ及び厚さを有している物であれば良く、形状、材質等にこだわる物ではない。図７は遮蔽板の構成の一例を示している。遮蔽板１５は電波吸収特性を有したフェライト１６と金属板１７により構成されている。金属板は金属性の糸で形成された布状の物や薄く引き延ばした箔状（例えばアルミ箔等）のもの等でも良い。またフェライトと金属板は接着されていても、個々で部材を形成していても良い。この遮蔽板１５はフェライトと金属板の組み合わせにより電波遮蔽性能の向上を図り、遮蔽板そのものの薄型化を可能とした物である。また遮蔽板１５を配置する際にはフェライト１６で構成された面１８を収納部の内側（同一収納部内のＩＣカ−ド等に接する側）に向け、金属板１７で構成された面１９を収納部の外側に向けて配置する。このように、ＩＣカ−ド又はＩＣタグ等、フェライト、金属板の順になるように遮蔽板１５を配置すると、同じ収納部内に収納されたＩＣカ−ドやＩＣタグ等と読み取り機がやりとりを行う際に不具合が発生することはない。収納部２及び３における遮蔽板の配置位置は、それぞれの収納部の裏面１０及び１１に直接張り付けるか、裏面を遮蔽板によって構成するか、遮蔽板をカ−ド形状に整形し収納部に挿入するなど、各収納部に収納されたＩＣカ−ド等の裏面側に配置されてさえいれば良い。【００１４】  図８は収納ケ−スを展開した状態の断面図を示す。また図９（Ａ）は方向２４に折りたたんだ状態の断面図であり、図９（Ｂ）は方向２５に折りたたんだ状態の断面図である。各収納部２及び３にはそれぞれ、収納部に収納する物品（例えばＩＣカ−ドやＩＣタグ等、その他の磁気カ−ド等や硬貨等、以下「収納物」）２０、２１、遮蔽板２２、２３が配置されている。このとき各収納部の表面４、５側に収納物２０、２１が、裏面１０、１１に遮蔽板２２、２３が配置されている。収納部２のＩＣカ−ドやＩＣタグ等を読み取り機にかざして使用する場合は、方向２４に折った図９（Ａ）の状態で使用する。この状態の場合、収納物２１は表裏両面が遮蔽板２２、２３に覆われた状態であるため読み取り機とやりとりできない。収納物２０と２１の間には遮蔽板２２が存在するため収納物２１が導体である場合にも収納物２０は起動電源の阻害等の不具合を生じることがない。また図７の遮蔽板１５を用いた場合には、同様の効果の他に、収納物２１がＩＣカ−ドやＩＣタグ等の場合、収納物２１は金属板と隣接する状態になり、動力源が確保できず起動しない効果がある。同様に収納部３のＩＣカ−ドやＩＣタグ等を読み取り機にかざして使用する場合は、方向２５に折りたたんだ図９（Ｂ）の状態で使用する。この状態においても同様の効果が得られ、収納物２０は表裏両面が遮蔽板２２、２３に覆われた状態であるため読み取り機とやりとりできない。また収納物２１と２０の間には遮蔽板２３が存在するため、収納物２０が導体である場合にも電源の阻害等の不具合を生じることがない。また図７の遮蔽板１５を用いた場合も同様の効果が得られる他に、収納物２０がＩＣカ−ドやＩＣタグ等の場合、収納物２０は金属板と隣接する状態になり、動力源が確保できず起動しない効果がある。従って、いずれの収納部のＩＣカ−ドやＩＣタグ等を読み取り機にかざして使用する場合においても、不具合を生じることなく快適に使用することができる。【００１５】  実施例１を応用すると収納部の数を増やすことができる。なお収納部の拡張数に上限はない。その一例として収納部を４つに増やした物（以下「実施例２」）を図１０、図１１に示す。各収納部２６、２７、２８、２９の表面３０、３１、３２、３３には各収納部の中を見ることを可能にする透明なシ−ト状の物３４を配置しても良い。図１２、図１３は収納部２６のＩＣカ−ドやＩＣタグ等を読み取り機にかざして使用する場合における、収納ケ−スの状態の図、及びその断面図である。各収納部の裏面３６、３７、３８、３９には前述している実施例１と同様に遮蔽板４４、４５、４６、４７を配置する。この場合図１３のように、収納部２６の表面３０が外側を向くような形に折りたたむ。収納部２７、２８、２９に収納された収納物４１、４２、４３がＩＣカ−ドやＩＣタグ等の場合は、収納物４１、４２、４３の表裏両面を遮蔽板４４、４５、４６、４７が覆う形となり読み取り機とやりとりできない。また収納物４１、４２、４３が導体である場合は収納物４０との間に遮蔽板４４が存在するため起動電源の阻害等による不具合は発生しない。同様に図１４、図１５は実施例２において収納部２８のＩＣカ−ドやＩＣタグ等を読み取り機にかざして使用する場合における、収納ケ−スの状態の図及び、その断面図である。この場合図１５のように、収納部２８の表面３８が外側を向くような形に折りたたむ。収納部２９、２６、２７に収納された収納物４３、４０、４１がＩＣカ−ドやＩＣタグ等の場合は、収納物４３、４０、４１の表裏両面を遮蔽板４６、４７、４４、４５が覆う形となり読み取り機とやりとりできない。また収納物４３、４０、４１が導体である場合は収納物４２との間に遮蔽板４６が存在するため起動電源の阻害等による不具合は発生しない。従って、いずれの収納部に収納されているＩＣカ−ドやＩＣタグ等でも折り方を変えることによって、複数枚のＩＣカ−ドや導体が同一収納具���収納されている場合においても、読み取り機におけるエラ−や不具合を生じることなく使用することが可能である。【００１７】  先に述べた実施例１及び実施例２において収納ケ−スの一例を示した。本発明では遮蔽板で対象のＩＣカ−ドやＩＣタグ等以外の物質の表裏両面を覆い、ＩＣカ−ドとＩＣタグ等と読み取り機とのやりとりにおいて不具合を発生させない仕組みに関する物である。従ってこの仕組みを用いる形態であれば良く、実施例１及び実施例２の形態にこだわる物ではない。
【図面の簡単な説明】
【００１８】
【図１】実施例１の表面側からの斜視図
【図２】実施例１の裏面側からの斜視図
【図３】実施例１を展開した状態の表面側の平面図
【図４】実施例１を展開した状態の裏面側の平面図
【図５】Ａは実施例１を折った状態の表面側の平面図、Ｂは実施例１を折った状態の裏面側の平面図
【図６】遮蔽板の斜視図
【図７】遮蔽板の一例の斜視図
【図８】実施例１を展開した状態の断面図
【図９】Ａは実施例１を方向２４に折った状態の断面図、Ｂは実施例１を方向２５に折った状態の断面図
【図１０】実施例２の表面側からの斜視図
【図１１】実施例２の裏面側からの斜視図
【図１２】実施例２を折りたたんだ状態の斜視図
【図１３】実施例２を折りたたんだ状態の断面図
【図１４】実施例２の斜視図
【図１５】実施例２を方向４８に折りたたんだ状態の断面図
【符号の説明】
【００１９】  １：本発明のケ−ス本体  ２：収納部  ３：収納部
４：収納部２の表面  ５：収納部３の表面
６：収納部２の透明シ−ト  ７：収納部３の透明シ−ト
８：収納部２の収納物挿入口  ９：収納部３の収納物挿入口
１０：収納部２の裏面  １１：収納部３の裏面
１２：ケ−ス折り線（山折り）  １３：ケ−ス折り線（谷折り）
１４：遮蔽板  １５：遮蔽板（電波吸収体＋金属板）
１６：電波吸収体  １７：金属板
１８：遮蔽板の面（電波吸収体側）  １９：遮蔽板の面（金属板側）
２０：収納部２の収納物  ２１：収納部３の収納物
２２：収納部２の遮蔽板  ２３：収納部３の遮蔽板
２４：折り方向  ２５：折り方向
２６：収納部  ２７：収納部  ２８：収納部  ２９：収納部
３０：収納部２６の表面  ３１：収納部２７の表面
３２：収納部２８の表面  ３３：収納部２９の表面
３４：透明シ−ト  ３５：収納物挿入口
３６：収納部２６の裏面  ３７：収納部２７の裏面
３８：収納部２８の裏面  ３９：収納部２９の裏面
４０：収納部２６の収納物  ４１：収納部２７の収納物
４２：収納部２８の収納物  ４３：収納部２９の収納物
４４：収納部２６の遮蔽板  ４５：収納部２７の遮蔽板
４６：収納部２８の遮蔽板  ４７：収納部２９の遮蔽板
４８：折り方向
【図１】
2006018785.tif 000003
【図２】
2006018785.tif 000004
【図３】
2006018785.tif 000005
【図４】
2006018785.tif 000006
【図５】
2006018785.tif 000007
【図６】
2006018785.tif 000008
【図７】
2006018785.tif 000009
【図８】
2006018785.tif 000010
【図９】
2006018785.tif 000011
【図１０】
2006018785.tif 000012
【図１１】
2006018785.tif 000013
【図１２】
2006018785.tif 000014
【図１３】
2006018785.tif 000015
【図１４】
2006018785.tif 000016
【図１５】
2006018785.tif 000017